(57)【要約】  ライブビュー画像に重畳表示されたカメラ情報を、一定の条件下でユーザに違和感が与えることなく消去するデジタルカメラ及びデジタルカメラの表示方法を提供する。デジタルカメラは、カメラ本体の背面に配設されたバリアングル表示器である第１の表示部２２と、カメラ本体の上面に配設された第２の表示部３２とを備えている。表示制御部５０は、第１の表示部２２にライブビュー画像と第１のカメラ情報とを表示させ、第２の表示部３２に第２のカメラ情報を表示させるが、第１の表示部２２の表示画面と第２の表示部３２の表示画面とが同時に視認可能な姿勢関係にある場合には、第１の表示部２２に表示されている第１のカメラ情報のうちの少なくとも第２の表示部に表示されている第２のカメラ情報と重複する重複情報を、消去過程を示す第１のアニメーション及び第２のアニメーションを通じて第１の表示部２２から消去させる。
2017164011.tif 000002
【特許請求の範囲】
【請求項１】
撮像部が撮像したライブビュー画像と設定部により設定された撮像条件を含む複数のカメラ情報とを表示するデジタルカメラにおいて、
カメラ本体にそれぞれ配設された第１の表示部及び第２の表示部であって、前記第１の表示部及び前記第２の表示部のうちの少なくとも一方が前記カメラ本体に対して回動可能に配設され、前記第１の表示部と前記第２の表示部との相対的な姿勢が変更可能な前記第１の表示部及び前記第２の表示部と、
前記第１の表示部と前記第２の表示部との前記相対的な姿勢関係を検出する姿勢検出部と、
前記姿勢検出部により検出された前記相対的な姿勢関係に基づいて前記第１の表示部の表示画面と前記第２の表示部の表示画面とが同時に視認不能な第１の姿勢関係にあるか、又は同時に視認可能な第２の姿勢関係にあるかを判別する判別部と、
前記第１の表示部に前記ライブビュー画像を表示させ、かつ前記第１の表示部の表示画面に前記複数のカメラ情報のうちの第１のカメラ情報を表示させる第１の表示制御部と、
前記第２の表示部に前記複数のカメラ情報のうちの第２のカメラ情報を表示させる第２の表示制御部と、を備え、
前記第１の表示制御部は、前記判別部により前記第２の姿勢関係にあると判別されると、前記第１の表示部に表示されている前記第１のカメラ情報のうちの少なくとも前記第２の表示部に表示されている前記第２のカメラ情報と重複する重複情報を、前記第１の表示部の表示画面の特定領域に集合させる第１のアニメーションを前記第１の表示部に表示させ、前記特定領域に集合した前記重複情報を、前記第１の表示部の表示画面の外部に向かって移動させ、前記第１の表示部の表示画面から消去させる第２のアニメーションを前記第１の表示部に表示させるデジタルカメラ。
【請求項２】
前記第１の表示制御部は、前記特定領域に集合した前記重複情報を、前記第２の表示部の方向に向かって移動させ、前記第１の表示部の表示画面から消去させる前記第２のアニメーションを前記第１の表示部に表示させる請求項１に記載のデジタルカメラ。
【請求項３】
前記第１の表示部に表示させる前記第１のカメラ情報を選択する第１のカメラ情報選択部を備え、
前記第１の表示制御部は、前記第１のカメラ情報選択部により選択された前記第１のカメラ情報を前記第１の表示部に表示させる請求項１又は２に記載のデジタルカメラ。
【請求項４】
前記第２の表示部に表示させる前記第２のカメラ情報を選択する第２のカメラ情報選択部を備え、
前記第２の表示制御部は、前記第２のカメラ情報選択部により選択された前記第２のカメラ情報を前記第２の表示部に表示させる請求項１から３のいずれか１項に記載のデジタルカメラ。
【請求項５】
前記第１の表示制御部は、前記重複情報を前記第１の表示部の表示画面の前記特定領域に集合させる際に、前記特定領域に集合した前記重複情報のレイアウトが、前記第２の表示部に表示されている前記第２のカメラ情報のレイアウトと一致する前記第１のアニメーションを前記第１の表示部に表示させる請求項１から４のいずれか１項に記載のデジタルカメラ。
【請求項６】
前記第２の表示部に表示させる前記第２のカメラ情報を選択する第２のカメラ情報選択部を備え、
前記第２の表示制御部は、前記第２のカメラ情報選択部により選択された前記第２のカメラ情報を前記第２の表示部に表示させ、
前記第１の表示制御部は、前記特定領域に集合した前記重複情報のレイアウトを、前記第２のカメラ情報選択部により選択され、前記第２の表示部に表示されている前記第２のカメラ情報のレイアウトに合わせて変更させた前記第１のアニメーションを前記第１の表示部に表示させる請求項５に記載のデジタルカメラ。
【請求項７】
前記第１の表示制御部は、前記重複情報を前記第１の表示部の表示画面の前記特定領域に集合させる際に、前記特定領域に集合した前記重複情報のレイアウトが、前記第１の表示部に表示されている前記第１のカメラ情報のレイアウトと一致する前記第１のアニメーションを前記第１の表示部に表示させる請求項１から４のいずれか１項に記載のデジタルカメラ。
【請求項８】
前記第１の表示部の表示画面は、前記第２の表示部の表示画面よりも大きく、
前記第１の表示部の表示画面に表示される前記第１のカメラ情報の画像サイズは、前記第２の表示部の表示画面に表示される前記第２のカメラ情報の画像サイズよりも大きい請求項１から７のいずれか１項に記載のデジタルカメラ。
【請求項９】
前記第１の表示制御部は、前記重複情報に含まれる前記第１のカメラ情報の画像サイズを縮小した前記第１のアニメーション及び前記第２のアニメーションを前記第１の表示部に表示させる請求項８に記載のデジタルカメラ。
【請求項１０】
前記第１の表示部から前記重複情報が消去され、前記重複情報が前記第２の表示部に表示されていることを報知する報知部を備えた請求項１から９のいずれか１項に記載のデジタルカメラ。
【請求項１１】
前記第２の表示部及び前記第２の表示制御部は、前記報知部を含み、
前記第２の表示制御部は、前記第１の表示部における前記第１のアニメーション及び前記第２のアニメーションの表示中、又は前記第２のアニメーションの表示終了後の一定期間、前記第２の表示部に表示された前記第２のカメラ情報を点滅表示させ、又は前記第２の表示部の表示画面の明るさを変化させる請求項１０に記載のデジタルカメラ。
【請求項１２】
前記報知部は、前記第２の表示部の近傍に配設されたランプを含み、前記第１の表示部における前記第１のアニメーション及び前記第２のアニメーションの表示中、又は前記第２のアニメーションの表示終了後の一定期間、前記ランプを点灯又は点滅させる請求項１０に記載のデジタルカメラ。
【請求項１３】
前記第１の表示部に前記第１のアニメーション及び前記第２のアニメーションを表示させるか否かを選択するアニメーション表示選択部を備え、
前記第１の表示制御部は、前記アニメーション表示選択部により前記第１のアニメーション及び前記第２のアニメーションの表示が選択されている場合のみ、前記第１の表示部に前記第１のアニメーション及び前記第２のアニメーションを表示させる請求項１から１２のいずれか１項に記載のデジタルカメラ。
【請求項１４】
前記第１の表示制御部は、前記第１の表示部から前記重複情報が消去されている場合に、前記判別部により前記第１の姿勢関係にあると判別されると、前記第１の表示部に前記重複情報を表示させる請求項１から１３のいずれか１項に記載のデジタルカメラ。
【請求項１５】
前記第２の表示制御部は、前記第１の表示制御部により前記第１の表示部の表示画面から前記重複情報を含む第１のカメラ情報が消去される場合、前記第１のカメラ情報と前記第２のカメラ情報との差分情報を前記第２の表示部に表示させる請求項１から１４のいずれか１項に記載のデジタルカメラ。
【請求項１６】
撮像部が撮像したライブビュー画像と設定部により設定された撮像条件を含む複数のカメラ情報とを表示するデジタルカメラの表示方法において、
カメラ本体にそれぞれ配設された第１の表示部と第２の表示部との相対的な姿勢関係を検出するステップと、
前記検出された前記相対的な姿勢関係に基づいて前記第１の表示部の表示画面と前記第２の表示部の表示画面とが同時に視認不能な第１の姿勢関係にあるか、又は同時に視認可能な第２の姿勢関係にあるかを判別するステップと、
前記第１の姿勢関係にあると判別されると、前記第１の表示部に前記ライブビュー画像を表示させ、かつ前記第１の表示部の表示画面に前記複数のカメラ情報のうちの第１のカメラ情報を表示させるステップと、
前記第１の姿勢関係又は前記第２の姿勢関係にかかわらず前記第２の表示部に前記複数のカメラ情報のうちの第２のカメラ情報を表示させるステップと、
前記第２の姿勢関係にあると判別されると、前記第１の表示部に表示されている前記第１のカメラ情報のうちの少なくとも前記第２の表示部に表示されている前記第２のカメラ情報と重複する重複情報を、前記第１の表示部の表示画面の特定領域に集合させる第１のアニメーションを前記第１の表示部に表示させ、続いて前記特定領域に集合した前記重複情報を、前記第１の表示部の表示画面の外部に向かって移動させ、前記第１の表示部の表示画面から消去させる第２のアニメーションを前記第１の表示部に表示させるステップと、
を含むデジタルカメラの表示方法。
【発明の詳細な説明】
【技術分野】
【０００１】
本発明はデジタルカメラ及びデジタルカメラの表示方法に係り、特にフレーミングに使用されるライブビュー画像及び撮像条件を含む複数のカメラ情報等を表示する技術に関する。
【背景技術】
【０００２】
従来、カメラ本体の上面に配置された上面液晶表示部と、カメラ本体の背面に配置された背面液晶表示部とを備えたデジタルカメラにおいて、上面液晶表示部及び背面液晶表示部のうちの少なくとも一方が姿勢の変更が可能に構成され、上面液晶表示部と背面液晶表示部との位置関係が、上面液晶表示部の表示画面と背面液晶表示部の表示画面とが同時に視認不能な第１の位置関係にある場合と、同時に視認可能な第２の位置関係（略平行となる位置関係）にある場合とで、両表示画面に表示する表示内容を切り替えるようにしたデジタルカメラが提案されている（特許文献１）。【０００３】
具体的には、上面液晶表示部の表示画面と背面液晶表示部の表示画面とが同時に視認不能な第１の位置関係にある場合（略平行でなければ）、上面液晶表示部に「撮影条件情報」を表示し、背面液晶表示部に「撮影画像」と「撮影条件情報」を表示する。一方、上面液晶表示部の表示画面と背面液晶表示部の表示画面とが同時に視認可能な第２の位置関係にある場合（略平行であれば）、上面液晶表示部に「撮影条件情報」を表示し、背面液晶表示部に「撮影画像」のみを表示するようにしている。【０００４】
このように上面液晶表示部の表示画面と背面液晶表示部の表示画面とが略平行であり、両表示画面を同時に視認することができる場合には、両表示画面に重複表示されている「撮影条件情報」の表示を背面液晶表示部から消去することで、背面液晶表示部に表示される「撮影画像」を見やすくしている。【０００５】
特許文献２には、デジタルカメラの表示部に分類情報を有する複数の画像を表示している状態において、ユーザがデジタルカメラを振動させると（所定値以上の振動がデジタルカメラに印加されると）、表示部に表示されている複数の画像を、各画像の分類情報を用いて表示部の表示画面に分類して表示するデジタルカメラが記載されている。【０００６】
ここで、複数の画像を表示部の表示画面に分類して表示させる場合、例えば、表示部の表示画面の中央部に表示された分類前の画像を、表示部の表示画面の四隅の分類表示領域（人物、風景、花、及びその他の４つの分類を示す分類表示領域）のうちのいずれかの分類表示領域に配置（移動）させて表示させる。また、デジタルカメラを大きく振動させると、分類前の画像を表示画面の外に飛ばすようにしている。【０００７】
これにより、表示画面の四隅の分類表示領域のうちのいずれかの分類表示領域に移動させられた画像を選択することにより、複数の画像から所望の画像の絞り込み（検索）を可能にしている。【０００８】
特許文献３には、第１表示部に表示された画像を指で触れ、触れた状態を維持しながら第１表示部に隣接する第２表示部に至るように指を移動させると、表示されている選択画像も指の移動に合わせて第２表示部へ向けて連続的に移動し、第１表示部と第２表示部とにまたがって表示される状態を経て、第２表示部にのみ表示される状態に至るように選択画像を移動させるデジタルカメラが記載されている。【０００９】
これにより、多数の画像の中から希望の画像を選択する際に、直感的に分かり易く、かつ確実に画像の選択操作を行うことができるようにしている。
【先行技術文献】
【特許文献】
【００１０】
【特許文献１】特開２０１０−１９２９９８号公報
【特許文献２】特開２０１０−２３３０８１号公報
【特許文献３】特開２００７−２２８０８４号公報
【発明の概要】
【発明が解決しようとする課題】
【００１１】
特許文献１に記載のデジタルカメラは、上面液晶表示部及び背面液晶表示部のうちの少なくとも一方の姿勢が変更され、両者の表示画面が略平行になると、背面液晶表示部に表示されていた撮影条件情報が突然消去されるため、ユーザが混乱するという問題がある。【００１２】
これに対し、特許文献２には、デジタルカメラを振動させることにより、表示画面の中央部に表示された画像を、表示画面の四隅の分類表示領域のうちの画像の分類情報に対応する分類表示領域に移動させたり、又はデジタルカメラを大きく振動させることにより、表示画面の中央部に表示された画像を表示画面の外に飛ばす技術が記載されているが、特許文献２に記載の技術は、ユーザが自らデジタルカメラを振動させることをトリガーにして、画像を表示画面の分類表示領域に、又は表示画面の外に移動させるものであり、自動的に画像を移動させるものではない。【００１３】
また、特許文献３には、第１表示部に表示された画像を指で触れ、触れた状態を維持しながら第１表示部に隣接する第２表示部に至るまで指を移動させることにより、指の移動に合わせて画像を第１表示部から第２表示部まで連続的に移動させる技術が記載されているが、特許文献３に記載の技術は、ユーザが自ら画像をドラッグして移動させており、自動的に画像を移動させるものではない。【００１４】
更に、特許文献２、３には、カメラ本体に背面液晶表示部の他に、上面液晶表示部が設けられている記載、及びカメラ本体に対して回動可能に配設された、いわゆるバリアングル液晶表示器に関する記載がない。【００１５】
本発明はこのような事情に鑑みてなされたもので、カメラ情報が重畳して表示されたライブビュー画像から一定の条件下でカメラ情報を自動的に消去することによりライブビュー画像を見やすくすることができ、特にユーザに違和感が与えることなくカメラ情報の消去を行うことができ、かつ消去したカメラ情報の把握が可能なデジタルカメラ及びデジタルカメラの表示方法を提供することを目的とする。
【課題を解決するための手段】
【００１６】
上記目的を達成するために本発明の一の態様は、撮像部が撮像したライブビュー画像と設定部により設定された撮像条件を含む複数のカメラ情報とを表示するデジタルカメラにおいて、カメラ本体にそれぞれ配設された第１の表示部及び第２の表示部であって、第１の表示部及び第２の表示部のうちの少なくとも一方がカメラ本体に対して回動可能に配設され、第１の表示部と第２の表示部との相対的な姿勢が変更可能な第１の表示部及び第２の表示部と、第１の表示部と第２の表示部との相対的な姿勢関係を検出する姿勢検出部と、姿勢検出部により検出された相対的な姿勢関係に基づいて第１の表示部の表示画面と第２の表示部の表示画面とが同時に視認不能な第１の姿勢関係にあるか、又は同時に視認可能な第２の姿勢関係にあるかを判別する判別部と、第１の表示部にライブビュー画像を表示させ、かつ第１の表示部の表示画面に複数のカメラ情報のうちの第１のカメラ情報を表示させる第１の表示制御部と、第２の表示部に複数のカメラ情報のうちの第２のカメラ情報を表示させる第２の表示制御部と、を備え、第１の表示制御部は、判別部により第２の姿勢関係にあると判別されると、第１の表示部に表示されている第１のカメラ情報のうちの少なくとも第２の表示部に表示されている第２のカメラ情報と重複する重複情報を、第１の表示部の表示画面の特定領域に集合させる第１のアニメーションを第１の表示部に表示させ、特定領域に集合した重複情報を、第１の表示部の表示画面の外部に向かって移動させ、第１の表示部の表示画面から消去させる第２のアニメーションを第１の表示部に表示させる。【００１７】
本発明の一の態様によれば、第１の表示部及び第２の表示部のうちの少なくとも一方がカメラ本体に対して回動可能に配設され、第１の表示部と第２の表示部との相対的な姿勢が変更可能な第１の表示部及び第２の表示部を備えている。第１の表示制御部は、第１の表示部にライブビュー画像を表示させ、かつ第１の表示部の表示画面に複数のカメラ情報のうちの第１のカメラ情報を表示させ、第２の表示制御部は、第２の表示部に複数のカメラ情報のうちの第２のカメラ情報を表示させるが、第１の表示制御部は、一定の条件下で第１の表示部に表示されている第１のカメラ情報のうちの少なくとも第２の表示部に表示されている第２のカメラ情報と重複する重複情報を、第１の表示部の表示画面から消去させるアニメーションを表示させる。即ち、第１の表示制御部は、第１の表示部の表示画面と第２の表示部の表示画面とが同時に視認可能な第２の姿勢関係にある場合には、第１の表示部に表示されている第１のカメラ情報のうちの少なくとも第２の表示部に表示されている第２のカメラ情報と重複する重複情報を、第１の表示部の表示画面の特定領域に集合させる第１のアニメーションを第１の表示部に表示させ、特定領域に集合した重複情報を、第１の表示部の表示画面の外部に向かって移動させ、第１の表示部の表示画面から消去させる第２のアニメーションを第１の表示部に表示させる。このように、第１の表示部の表示画面から重複情報を自動的に消去するようにしたため、ライブビュー画像を見やすくすることができ、特に第１の表示部から第１のカメラ情報を消去する際に、第１の表示部から重複情報が消去されるまでの過程をアニメーションにより行うようにしたため、重複情報を突然消去する場合に比べて、ユーザに違和感が与えることがない。また、第１の表示部の表示画面から重複情報を消去しても、消去した重複情報は、第２の表示部に表示されており、かつ第１の表示部の表示画面と第２の表示部の表示画面とは同時に視認可能な第２の姿勢関係にあるため、視線方向を変えるだけで第２の表示部に表示されている重複情報を視認することができ、消去した重複情報を容易に把握することができる。【００１８】
本発明の他の態様に係るデジタルカメラにおいて、第１の表示制御部は、特定領域に集合した重複情報を、第２の表示部の方向に向かって移動させ、第１の表示部の表示画面から消去させる第２のアニメーションを第１の表示部に表示させることが好ましい。これにより、ユーザの視線方向を第２の表示部に誘導することができ、ユーザは、消去された重複情報が第２の表示部に表示されていることを容易に把握することができる。【００１９】
本発明の更に他の態様に係るデジタルカメラにおいて、第１の表示部に表示させる第１のカメラ情報を選択する第１のカメラ情報選択部を備え、第１の表示制御部は、第１のカメラ情報選択部により選択された第１のカメラ情報を第１の表示部に表示させることが好ましい。第１のカメラ情報選択部での選択により、所望の第１のカメラ情報を第１の表示部に表示させることができる。【００２０】
本発明の更に他の態様に係るデジタルカメラにおいて、第２の表示部に表示させる第２のカメラ情報を選択する第２のカメラ情報選択部を備え、第２の表示制御部は、第２のカメラ情報選択部により選択された第２のカメラ情報を第２の表示部に表示させることができる。第２のカメラ情報選択部での選択により、所望の第２のカメラ情報を第２の表示部に表示させることができる。【００２１】
本発明の更に他の態様に係るデジタルカメラにおいて、第１の表示制御部は、重複情報を第１の表示部の表示画面の特定領域に集合させる際に、特定領域に集合した重複情報のレイアウトが、第２の表示部に表示されている第２のカメラ情報のレイアウトと一致する第１のアニメーションを第１の表示部に表示させることが好ましい。特定領域に集合した重複情報のレイアウトを、第２の表示部に表示されている第２のカメラ情報のレイアウトと一致させるようにしたため、ユーザは、消去された重複情報が第２の表示部に表示されていることを容易に把握することができる。【００２２】
本発明の更に他の態様に係るデジタルカメラにおいて、第２の表示部に表示させる第２のカメラ情報を選択する第２のカメラ情報選択部を備え、第２の表示制御部は、第２のカメラ情報選択部により選択された第２のカメラ情報を第２の表示部に表示させ、第１の表示制御部は、特定領域に集合した重複情報のレイアウトを、カメラ情報選択部により選択され、第２の表示部に表示されている第２のカメラ情報のレイアウトに合わせて変更させた第１のアニメーションを第１の表示部に表示させることが好ましい。第２のカメラ情報選択部により第２の表示部に表示させる第２のカメラ情報が選択された場合（即ち、第２の表示部に表示させる第２のカメラ情報がカスタマイズされた場合）、特定領域に集合した重複情報のレイアウトを、カスタマイズされた第２のカメラ情報のレイアウトに合わせるようにしたため、ユーザは、消去された重複情報が第２の表示部に表示されていることを容易に把握することができる。【００２３】
本発明の更に他の態様に係るデジタルカメラにおいて、第１の表示制御部は、重複情報を第１の表示部の表示画面の特定領域に集合させる際に、特定領域に集合した重複情報のレイアウトが、第１の表示部に表示されている第１のカメラ情報のレイアウトと一致する第１のアニメーションを第１の表示部に表示させることが好ましい。これにより、特定領域に集合した重複情報は、第１の表示部の表示画面に表示された第１のカメラ情報が集合したものであることが容易に把握することができる。【００２４】
本発明の更に他の態様に係るデジタルカメラにおいて、第１の表示部の表示画面は、第２の表示部の表示画面よりも大きく、第１の表示部の表示画面に表示される第１のカメラ情報の画像サイズは、第２の表示部の表示画面に表示される第２のカメラ情報の画像サイズよりも大きいことが好ましい。【００２５】
本発明の更に他の態様に係るデジタルカメラにおいて、第１の表示制御部は、重複情報に含まれる第１のカメラ情報の画像サイズを縮小した第１のアニメーション及び第２のアニメーションを第１の表示部に表示させることが好ましい。第１の表示部の表示画面に表示される第１のカメラ情報の画像サイズが、第２の表示部の表示画面に表示される第２のカメラ情報の画像サイズよりも大きい場合、第１のアニメーション及び第２のアニメーションを表示する際に、第１のカメラ情報の画像サイズを縮小することにより、第２の表示部の表示画面に表示される第２のカメラ情報の画像サイズに合わせることができる。これにより、第１のアニメーション及び第２のアニメーションにより重複情報が消去される際に、ユーザは消去される重複情報が第２の表示部に表示されていることを容易に把握することができる。【００２６】
本発明の更に他の態様に係るデジタルカメラにおいて、第１の表示部から重複情報が消去され、重複情報が第２の表示部に表示されていることを報知する報知部を備えることが好ましい。【００２７】
重複情報が消去されるまでの過程を第１のアニメーション及び第２のアニメーションの表示により行い、かつ重複情報が消去されたことを報知部により別途報知するようにしたため、一定の条件下で重複情報が突然消去される場合に比べて、ユーザに違和感を与えることがない。【００２８】
本発明の更に他の態様に係るデジタルカメラにおいて、第２の表示部及び第２の表示制御部は、報知部を含み、第２の表示制御部は、第１の表示部における第１のアニメーション及び第２のアニメーションの表示中、又は第２のアニメーションの表示終了後の一定期間、第２の表示部に表示された第２のカメラ情報を点滅表示させ、又は第２の表示部の表示画面の明るさを変化させることが好ましい。【００２９】
本発明の更に他の態様に係るデジタルカメラにおいて、報知部は、第２の表示部の近傍に配設されたランプを含み、第１の表示部における第１のアニメーション及び第２のアニメーションの表示中、又は第２のアニメーションの表示終了後の一定期間、ランプを点灯又は点滅させることが好ましい。この種の情報を報知するランプとしては、既存のインジケーターランプを適用することができる。【００３０】
本発明の更に他の態様に係るデジタルカメラにおいて、第１の表示部に第１のアニメーション及び第２のアニメーションを表示させるか否かを選択するアニメーション表示選択部を備え、第１の表示制御部は、アニメーション表示選択部により第１のアニメーション及び第２のアニメーションの表示が選択されている場合のみ、第１の表示部に第１のアニメーション及び第２のアニメーションを表示させることが好ましい。アニメーション表示選択部での選択により、第１の表示部に第１のアニメーション及び第２のアニメーションを表示させるか（即ち、重複情報を消去するアニメーションを表示させるか）、又は第１の表示部に第１のアニメーション及び第２のアニメーションを表示させないか（即ち、重複情報を消去させないか）を選択することができる。【００３１】
本発明の更に他の態様に係るデジタルカメラにおいて、第１の表示制御部は、第１の表示部から重複情報が消去されている場合に、判別部により第１の姿勢関係にあると判別されると、第１の表示部に重複情報を表示させることが好ましい。この場合、第１の表示部に重複情報を表示させる場合に、突然重複情報を表示させるようにしてもよいし、第１のアニメーション及び第２のアニメーションを逆送り再生して重複情報を表示させるようにしてもよい。【００３２】
本発明の更に他の態様に係るデジタルカメラにおいて、第２の表示制御部は、第１の表示制御部により第１の表示部の表示画面から重複情報を含む第１のカメラ情報が消去される場合、第１のカメラ情報と第２のカメラ情報との差分情報を第２の表示部に表示させることが好ましい。消去される第１のカメラ情報が第２のカメラ情報よりも多い場合、又は第２のカメラ情報にないカメラ情報を含んでいても、差分情報を第２の表示部に表示させるため、消去される第１のカメラ情報を第２の表示部にて視認することができる。【００３３】
本発明の更に他の態様は、撮像部が撮像したライブビュー画像と設定部により設定された撮像条件を含む複数のカメラ情報とを表示するデジタルカメラの表示方法において、カメラ本体にそれぞれ配設された第１の表示部と第２の表示部との相対的な姿勢関係を検出するステップと、検出された相対的な姿勢関係に基づいて第１の表示部の表示画面と第２の表示部の表示画面とが同時に視認不能な第１の姿勢関係にあるか、又は同時に視認可能な第２の姿勢関係にあるかを判別するステップと、第１の姿勢関係にあると判別されると、第１の表示部にライブビュー画像を表示させ、かつ第１の表示部の表示画面に複数のカメラ情報のうちの第１のカメラ情報を表示させるステップと、第１の姿勢関係又は第２の姿勢関係にかかわらず第２の表示部に複数のカメラ情報のうちの第２のカメラ情報を表示させるステップと、第２の姿勢関係にあると判別されると、第１の表示部に表示されている第１のカメラ情報のうちの少なくとも第２の表示部に表示されている第２のカメラ情報と重複する重複情報を、第１の表示部の表示画面の特定領域に集合させる第１のアニメーションを第１の表示部に表示させ、続いて特定領域に集合した重複情報を、第１の表示部の表示画面の外部に向かって移動させ、第１の表示部の表示画面から消去させる第２のアニメーションを第１の表示部に表示させるステップと、を含む。
【発明の効果】
【００３４】
本発明によれば、第１の表示部の表示画面と第２の表示部の表示画面とが同時に視認可能な第２の姿勢関係にある場合には、第１の表示部に表示されている第１のカメラ情報のうちの少なくとも第２の表示部に表示されている第２のカメラ情報と重複する重複情報を自動的に消去するようにしたため、ライブビュー画像を見やすくすることができ、特に第１の表示部から重複情報を消去する際に、第１の表示部から重複情報が消去されるまでの過程をアニメーションにより行うようにしたため、重複情報を突然消去する場合に比べて、ユーザに違和感を与えることがない。また、第１の表示部の表示画面から重複情報を消去しても、消去した重複情報は、第２の表示部に表示されており、かつ第１の表示部の表示画面と第２の表示部の表示画面とは同時に視認可能な第２の姿勢関係にあるため、視線方向を変えるだけで第２の表示部に表示されている重複情報を視認することができ、消去した重複情報（カメラ情報）を容易に把握することができる。
【図面の簡単な説明】
【００３５】
【図１】図１は本発明に係るデジタルカメラの第１の実施形態を示す外観図であり、デジタルカメラを斜め後方から見た斜視図
【図２】図２はデジタルカメラの内部構成の実施形態を示すブロック図
【図３】図３は図２に示した表示制御部の実施形態を示すブロック図
【図４】図４は第１の表示部に表示されるカラーのライブビュー画像を示す図
【図５】図５は第１の表示部に表示されるモノクロの第１のカメラ情報を示す図
【図６】図６は第２の表示部に表示されるモノクロの第２のカメラ情報を示す図
【図７】図７第１の表示部に表示されるモノクロの第１のカメラ情報が重畳されたカラーのライブビュー画像を示す図
【図８】図８は第１の表示部に表示された第１のカメラ情報を消去する第１の実施形態を示す図であり、第１のカメラ情報の消開始時の第１の表示部の初期画面を示す図
【図９】図９は第１の表示部に表示された第１のカメラ情報を消去する第１の実施形態を示す図であり、第１のアニメーションを示す図
【図１０】図１０は第１の表示部に表示された第１のカメラ情報を消去する第１の実施形態を示す図であり、第２のアニメーションを示す図
【図１１】図１１は第１の表示部に表示された第１のカメラ情報を消去する第２の実施形態を示す図であり、第１のアニメーションを示す図
【図１２】図１２は第１の表示部に表示された第１のカメラ情報を消去する第２の実施形態を示す図であり、第２のアニメーションを示す図
【図１３】図１３は第１の表示部に表示された第１のカメラ情報を消去する第３の実施形態を示す図であり、第１のアニメーションを示す図
【図１４】図１４は第１の表示部に表示された第１のカメラ情報を消去する第３の実施形態を示す図であり、第２のアニメーションを示す図
【図１５】図１５は第１の表示部に表示された第１のカメラ情報を消去する第４の実施形態を示す図であり、第１のアニメーションを示す図
【図１６】図１６は第１の表示部に表示された第１のカメラ情報を消去する第４の実施形態を示す図であり、第２のアニメーションを示す図
【図１７】図１７は第１の表示部に表示された第１のカメラ情報を消去する第５の実施形態を示す図であり、第２のアニメーションを示す図
【図１８】図１８は第１の表示部に表示された第１のカメラ情報を消去する第６の実施形態を示す図であり、第２のアニメーションを示す図
【図１９】図１９は本発明に係るデジタルカメラの第２の実施形態を示す外観図であり、デジタルカメラを斜め後方から見た斜視図
【図２０】本発明に係るデジタルカメラの第２の実施形態を示す外観図であり、第１の表示部の姿勢が、図１９に示した第２の表示部の姿勢と異なる図
【図２１】図２１は本発明に係るデジタルカメラの第３の実施形態を示す外観図であり、デジタルカメラを斜め後方から見た斜視図
【図２２】本発明に係るデジタルカメラの第３の実施形態を示す外観図であり、第１の表示部及び第２の表示部の姿勢が、図２１に示した第２の表示部の姿勢と異なる図
【図２３】本発明に係るデジタルカメラの表示方法の実施形態を示すフローチャート
【発明を実施するための形態】
【００３６】
以下、添付図面に従って本発明に係るデジタルカメラ及びデジタルカメラの表示方法の好ましい実施の形態について説明する。
【００３７】
＜デジタルカメラの外観＞
図１は本発明に係るデジタルカメラの第１の実施形態を示す外観図であり、デジタルカメラを斜め後方から見た斜視図である。
【００３８】
図１に示すデジタルカメラ１は、交換レンズ１０と、交換レンズ１０が着脱自在なカメラ本体２０とから構成されたミラーレスのデジタル一眼カメラであるが、これに限らず、レンズ交換が不能なレンズ一体型のデジタルカメラでもよい。
【００３９】
カメラ本体２０の一壁面である背面には、主として板状の第１の表示部２２、露出補正ダイヤル２４、シャッタースピードダイヤル２６、インジケーターランプ２８、図示しない再生ボタン、上下左右キーからなるマルチファンクションの十字キー、ＭＥＮＵ／ＯＫボタン、及び表示／戻るボタン等が設けられている。
【００４０】
また、カメラ本体２０の上面には、主としてシャッターボタン３０、第２の表示部３２、及びポップアップ式のフラッシュ３４等が設けられている。
【００４１】
第１の表示部２２は、本例では透過型のカラー液晶表示器であり、カメラ本体２０に対してヒンジ２２Ａにより約１８０°の範囲内で回動可能に配設された、いわゆるバリアングル液晶表示器である。
【００４２】
第１の表示部２２は、撮影モード時にライブビュー画像、又はライブビュー画像とシャッタースピード、絞り値等の撮像条件を含むカメラ情報とを重畳して表示したり、再生モード時に撮影した画像を再生表示する他、各種のメニュー画面を表示する表示部として機能する。尚、第１の表示部２２は、約１８０°回動させることにより、自分撮り用に使用することができる。
【００４３】
第２の表示部３２は、本例では反射型のモノクロ液晶表示器であり、第１の表示部２２の回動とは独立して、カメラ本体２０の上面と面一になるように固定して配置されている。
【００４４】
また、第１の表示部２２は、カメラ情報を表示する第２の表示部３２よりも大型である。第１の表示部２２は、主として画像を表示するため、画像を見やすくするためである。
【００４５】
露出補正ダイヤル２４は、露出値ＥＶ（Exposure value）を補正するダイヤルであり、ダイヤルを回転させることにより、−３ＥＶ〜＋３ＥＶの範囲内で（１／３）ＥＶ刻みで露出補正値を設定する。
【００４６】
シャッタースピードダイヤル２６は、シャッタースピード優先ＡＥ（ＡＥ：Automatic Exposure）モードが設定されているときに、ダイヤルの回転位置に応じて所望のシャッタースピードを設定したり、プログラムＡＥや絞り優先ＡＥの設定に使用される。
【００４７】
露出補正ダイヤル２４により設定される露出補正値、及びシャッタースピードダイヤル２６により設定されるシャッタースピード等は、第２の表示部３２に表示される。即ち、ユーザは、第２の表示部３２の表示画面を見ながら露出補正ダイヤル２４又はシャッタースピードダイヤル２６を操作し、露出補正値又はシャッタースピード等を設定することができる。
【００４８】
インジケーターランプ２８は、緑色、橙色、赤色等のランプの点灯又は点滅により、カメラの状態（ピント状態、手ブレ、画像の記録等の状態）を報知する。
【００４９】
再生ボタンは、撮影記録した静止画又は動画を第１の表示部２２に表示させる再生モードに切り替えるためのボタンである。ＭＥＮＵ／ＯＫボタンは、第１の表示部２２の表示画面上にメニューを表示させる指令を行うためのＭＥＮＵボタンとしての機能と、選択内容の確定及び実行などを指令するＯＫボタンとしての機能とを兼備した操作ボタンある。十字キーは、上下左右の４方向の指示を入力する操作キーであり、メニュー画面から項目を選択したり、各メニューから各種設定項目の選択を指示したりする選択キーとして機能する。
【００５０】
表示／戻るボタンは、第１の表示部２２に表示させる情報表示を切り替えるボタン、及び設定内容を解除するボタン等として機能する。
【００５１】
＜デジタルカメラの内部構成＞
図２はデジタルカメラ１の内部構成の実施形態を示すブロック図である。
【００５２】
図２に示すデジタルカメラ１は、前述した第１の表示部２２及び第２の表示部３２の他に、撮像部４０、信号処理部４２、画像記録再生部４４、操作部４６、通信部４８、表示制御部５０、第１の角度検出部６０、第２の角度検出部６２、判別部６４及び中央処理装置（ＣＰＵ：Central Processing Unit）７０を備えている。
【００５３】
撮像部４０は、画像信号を入力する画像入力部であり、交換レンズ１０、図示しない撮像素子、及びアナログフロントエンド等から構成されている。尚、撮像素子がＣＭＯＳ型撮像素子である場合は、アナログフロントエンドは撮像素子内に内蔵されていることが多い。
【００５４】
撮像素子は、ＣＭＯＳ(Complementary Metal-Oxide Semiconductor)型のカラーイメージセンサにより構成されている。尚、撮像素子は、ＣＭＯＳ型に限らず、ＸＹアドレス型、又はＣＣＤ（Charge Coupled Device）型のイメージセンサでもよい。また、撮像素子は、所定のパターン配列（ベイヤー配列、ＧストライプＲ／Ｇ完全市松、Ｘ−Ｔｒａｎｓ（登録商標）配列、ハニカム（登録商標）配列等）でマトリクス状に配置された複数画素によって構成され、各画素はマイクロレンズ、赤（Ｒ）、緑（Ｇ）又は青（Ｂ）のカラーフィルタ及び光電変換部（フォトダイオード等）を含んで構成される。
【００５５】
交換レンズ１０の撮影光学系によって撮像素子の受光面に結像された被写体の光学像は、撮像素子によって電気信号に変換される。変換された電気信号は、撮像部４０内でゲイン調整された後にアナログ−デジタル変換等の処理が行われ、ＲＧＢの画素ごとの画像データ（モザイク画像データ）として信号処理部４２に出力される。
【００５６】
信号処理部４２は、撮像部４０から入力する画像データに対して、各種のデジタル信号処理を施す。本例の信号処理部４２は、入力する画像データに対してオフセット処理、ホワイトバランス補正、感度補正を含むゲインコントロール処理、ガンマ補正処理、デモザイク処理（デモザイキング処理）、ＲＧＢ／ＹＣ変換処理等のデジタル信号処理を行う。
【００５７】
画像記録再生部４４は、圧縮伸張処理部及びメディア制御部を含み、圧縮伸張処理部は、画像データの記録時にＲＧＢ／ＹＣ変換処理によりＲＧＢの画像データから輝度データ（Ｙ）及び色差データ（Ｃｒ，Ｃｂ）に変換された非圧縮の画像データ（Ｙ、Ｃｒ，Ｃｂ）を所定の圧縮フォーマット（例えば、静止画はＪＰＥＧ（Joint Photographic Experts Group）形式、動画はＨ．２６４等）で圧縮し、画像再生時にメモリカード又は内蔵メモリ（以下メモリーカード等）から読み出した圧縮された画像データを非圧縮の画像データ（Ｙ、Ｃｒ，Ｃｂ）に伸張処理する。メディア制御部は、画像記録時に圧縮伸張処理部で圧縮された画像データをメモリカード等に記録する制御を行い、画像再生時にメモリカード等から圧縮された画像データを読み出す制御を行う。
【００５８】
操作部４６は、露出補正ダイヤル２４、シャッタースピードダイヤル２６、シャッターボタン３０、再生ボタン、十字キー、及びＭＥＮＵ／ＯＫボタン等を含み、シャッタースピード、絞り値等の撮像条件を設定する設定部として機能し得る。
【００５９】
通信部４８は、メモリカード等に保存した画像データをスマートフォン、又はプリンタ等に近距離無線により送信する部分である。
【００６０】
第１の角度検出部６０は、バリアングル液晶表示器である第１の表示部２２の表示画面とカメラ本体２０の背面とのなす角度を検出するものであり、カメラ本体２０の上面（カメラ本体２０の背面と直交する上面）に固定して配設された第２の表示部３２との相対的な姿勢関係を検出する姿勢検出部として機能する。
【００６１】
第２の角度検出部６２は、第２の表示部３２がカメラ本体２０に対して回動可能なバリアングル液晶表示器の場合、第２の表示部３２の表示画面とカメラ本体２０の上面とのなす角度を検出するものである。この場合、第１の角度検出部６０と第２の角度検出部６２とが、第１の表示部２２と第２の表示部３２との相対的な姿勢関係を検出する姿勢検出部として機能する。
【００６２】
判別部６４は、第１の角度検出部６０により検出された角度（即ち、第１の表示部２２と第２の表示部３２との相対的な姿勢関係）に基づいて第１の表示部２２の表示画面と第２の表示部３２の表示画面とが同時に視認不能な姿勢関係（第１の姿勢関係）にあるか、又は同時に視認可能な姿勢関係（第２の姿勢関係）にあるかを判別する。尚、第２の表示部３２もバリアングル液晶表示器の場合には、第１の角度検出部６０及び第２の角度検出部６２によりそれぞれ検出された角度に基づいて第１の姿勢関係にあるか、又は第２の姿勢関係にあるかを判別する。
【００６３】
例えば、ローアングルの撮影を行う場合、第１の表示部２２に表示されるライブビュー画像を見やすくするために、ユーザは、第１の表示部２２の表示画面が上向きになるように第１の表示部２２を回動させる。
【００６４】
第１の表示部２２を回動させた結果、第１の角度検出部６０により検出される角度が９０°になると、第１の表示部２２の表示画面と第２の表示部３２の表示画面とは互いに平行になり、ユーザは、第１の表示部２２の表示画面と第２の表示部３２の表示画面とを同時に視認することができる。
【００６５】
判別部６４は、第１の角度検出部６０により検出される角度が、９０°になる場合に限らず、設定された角度範囲（９０°−α〜９０°＋β）の角度の場合、第１の表示部２２の表示画面と第２の表示部３２の表示画面とが同時に視認可能な第２の姿勢関係にあると判別し、設定された角度範囲以外の角度の場合、第１の表示部２２の表示画面と第２の表示部３２の表示画面とが同時に視認不能な第１の姿勢関係にあると判別する。尚、角度範囲を規定するα、βは、それぞれ３０°程度とすることができるが、ユーザ設定によりカスタマイズできるようにしてもよい。
【００６６】
判別部６４により判別された判別結果（第１の表示部２２の表示画面と第２の表示部３２の表示画面とが同時に視認不能な第１の姿勢関係にあるか、又は同時に視認可能な第２の姿勢関係にあるかを示す判別結果）は、ＣＰＵ７０に出力される。
【００６７】
表示制御部５０は、デジタルカメラ１が撮影モードに設定されている場合、通常、第１の表示部２２にライブビュー画像とカメラ情報（第１のカメラ情報）とを表示させ、第２の表示部３２にカメラ情報（第２のカメラ情報）を表示させるが、判別部６４により第１の表示部２２の表示画面と第２の表示部３２の表示画面とが同時に視認可能な第２の姿勢関係にあると判別されると、第１の表示部２２に表示されている第１のカメラ情報のうちの第２の表示部３２に表示されている第２のカメラ情報と重複するカメラ情報（以下、「重複情報」という）を、後述するアニメーションの表示を経由して消去する。
【００６８】
ＣＰＵ７０は、カメラ本体２０全体の動作及び交換レンズ１０の光学部材の駆動等を統括制御するもので、シャッターボタン３０を含む操作部４６等からの入力と、図示しないＲＯＭ（Read Only Memory）に格納されているカメラ制御プログラム、及び画像処理に使用する各種のパラメータやテーブルに基づいてカメラ本体２０の各部及び交換レンズ１０を制御する。
【００６９】
撮影モード（静止画撮影モード）が設定されると、ＣＰＵ７０は、ライブビュー画像を表示させるための処理を各部に実行させる。即ち、ＣＰＵ７０は、撮像部４０により予め設定されたフレームレート（３０ｆｐｓ，６０ｆｐｓ）の各フレームの撮影を行わせ、撮影したフレームごとの画像データの信号処理を信号処理部４２に行わせる。信号処理部４２により連続的に生成される画像データは、表示制御部５０に送られる。表示制御部５０は、信号処理部４２から順次入力するフレームごとの画像データを表示用の信号形式に変換して、第１の表示部２２に出力する。これにより、撮像部４０による撮影範囲内の被写体像を示すライブビュー画像が第１の表示部２２に表示され、ユーザは、第１の表示部２２に表示されたライブビュー画像を見ながら、静止画撮影を行う際のフレーミングを行うことができる。
【００７０】
シャッターボタン３０は、撮影の指示を入力するための操作手段であり、いわゆる「半押し」と「全押し」とからなる２段ストローク式のスイッチで構成されている。静止画撮影モードの場合、シャッターボタン３０が半押しされることによってＳ１オンの信号、半押しから更に押し込む全押しがされることによってＳ２オンの信号が出力され、Ｓ１オン信号が出力されると、カメラ本体２０は、自動焦点調節や自動露出制御などの撮影準備処理を実行し、Ｓ２オン信号が出力されると、静止画の撮影処理及び記録処理を実行する。
【００７１】
また、動画撮影モードの場合、シャッターボタン３０が全押しされることによってＳ２オンの信号が出力されると、カメラ本体２０は、動画の記録を開始する動画記録モードになり、動画の画像処理及び記録処理を実行し、その後、シャッターボタン３０が再び全押しされることによってＳ２オンの信号が出力されると、カメラ本体２０は、スタンバイ状態になり、動画の記録処理を一時停止する。
【００７２】
［表示制御部の実施形態］
図３は、図２に示した表示制御部５０の実施形態を示すブロック図である。
【００７３】
図３に示すように表示制御部５０は、表示用データ生成部５１、画像合成部５２、キャラクタジェネレータ５４、及びカメラ情報生成部５５を備えている。表示用データ生成部５１、画像合成部５２、キャラクタジェネレータ５４、及びカメラ情報生成部５５は、第１の表示部２２にライブビュー画像を表示させ、かつ第１の表示部２２の表示画面（好ましくは表示画面の周辺部）に第１のカメラ情報を表示させる第１の表示制御部として機能し、また、キャラクタジェネレータ５４及びカメラ情報生成部５５は、第２の表示部３２に第２のカメラ情報を表示させる第２の表示制御部として機能する。
【００７４】
表示制御部５０は、第１の表示部２２等にライブビュー画像、撮影した静止画、又はメモリカードから読み出した画像等を表示させるが、以下、ライブビュー画像を表示させる場合の各部の動作について説明する。
【００７５】
表示制御部５０は、ＣＰＵ７０を介して入力する判別部６４による判別結果とアニメーション表示選択部６６による選択結果とに基づいて、第１の表示部２２の表示画面に表示させるライブビュー画像及びカメラ情報のうちのカメラ情報の表示形態を変更させる。
【００７６】
ここで、アニメーション表示選択部６６は、第１の表示部２２の表示画面に表示されている第１のカメラ情報を消去するアニメーション（第１のアニメーション及び第２のアニメーション）を、第１の表示部２２に表示させるか否かを選択する選択部であり、操作部４６（十字キー、ＭＥＮＵ／ＯＫボタン）をアニメーション表示選択部６６として機能させることができる。例えば、ＭＥＮＵ／ＯＫボタンの操作により、「アニメーション表示」又は「アニメーション非表示」を選択するためのメニュー画面を第１の表示部２２に表示させ、メニュー画面上で「アニメーション表示」又は「アニメーション非表示」を十字キーを使用して選択し、ＭＥＮＵ／ＯＫボタンにより選択項目を確定させることにより、第１の表示部２２にアニメーションを表示させるか否かを選択させることができる。尚、アニメーション表示選択部６６として、専用の選択スイッチを設けるようにしてもよい。
【００７７】
また、デジタルカメラ１が撮影モードに設定されている場合、第１の表示部２２にライブビュー画像と第１のカメラ情報とを表示させることができる。このとき、操作部４６（表示／戻るボタン）を押すごとに、第１のカメラ情報のうちの主要なカメラ情報を表示する「情報表示１」、第１のカメラ情報の全てを表示する「情報表示２」、第１のカメラ情報を表示させない「情報表示なし」、及びカスタマイズされた第１のカメラ情報を表示する「カスタム」を順次切り替えることができる。
【００７８】
尚、「カスタム」が選択された場合、ユーザが予め操作部４６を操作することにより、適宜選択したカメラ情報のみを第１のカメラ情報として第１の表示部２２に表示させることができる。この場合の表示／戻るボタンを含む操作部４６は、第１の表示部２２に表示させる第１のカメラ情報を選択する第１のカメラ情報選択部として機能する。
【００７９】
また、表示／戻るボタンの操作により、「情報表示なし」が選択されている場合、第１の表示部２２には第１のカメラ情報が表示されないため、アニメーション表示選択部６６による選択にかかわらず、第１のカメラ情報を消去するためのアニメーション表示が行われないことは言うまでもない。
【００８０】
以下、本例では、第１の表示部２２に第１のカメラ情報を表示させない「情報表示なし」が選択されておらず、かつアニメーション表示選択部６６により「アニメーション表示」が選択されている場合について説明する。
【００８１】
この場合、表示制御部５０は、第１の表示部２２の表示画面と第２の表示部３２の表示画面とが同時に視認不能な第１の姿勢関係にあることが判別部６４により判別された場合には、第１の表示部２２にライブビュー画像と第１のカメラ情報とを表示させ、第２の表示部３２に第２のカメラ情報を表示させる。
【００８２】
一方、表示制御部５０は、第１の表示部２２の表示画面と第２の表示部３２の表示画面とが同時に視認可能な第２の姿勢関係にあることが判別部６４により判別された場合には、第１の表示部２２から第１のカメラ情報を消去するアニメーションを表示させた後、第１の表示部２２にライブビュー画像のみを引き続き表示させ、第２の表示部３２に第２のカメラ情報を表示させる。
【００８３】
まず、表示制御部５０により第１の表示部２２にライブビュー画像と第１のカメラ情報とを表示させ、第２の表示部３２に第２のカメラ情報を表示させる場合について説明する。
【００８４】
表示用データ生成部５１は、撮影モードが設定されている場合、撮像部４０により撮像され、信号処理部４２により信号処理されたフレームごとのＲＧＢの画像データを順次入力し、入力するフレームごとの画像データに基づいて第１の表示部２２のカラードットマトリックスに対応する表示用の信号形式に変換した表示用データを生成する。
【００８５】
表示用データ生成部５１により生成された表示用データは、画像合成部５２に出力される。図４に、表示用データ生成部５１により生成された表示用データに対応する画像の一例を示す。
【００８６】
キャラクタジェネレータ５４は、操作部４６により設定される露出補正値、シャッタースピード等の各種の撮像条件を含むカメラ情報を示すアイコン、文字及び数字のフォントが格納されたＲＯＭを有し、第１の表示部２２に表示させる第１のカメラ情報、及び第２の表示部３２に表示させる第２のカメラ情報に対応する各種のアイコン、文字及び数字のフォントをＲＯＭから読み出し、カメラ情報生成部５５に出力する。
【００８７】
カメラ情報生成部５５は、第１の表示部２２及び第２の表示部３２にそれぞれ表示させる第１カメラ情報を示す第１の表示用データ、及び第２のカメラ情報を示す第２の表示用データを生成する部分であり、キャラクタジェネレータ５４から入力する第１のカメラ情報及び第２のカメラ情報に対応する各種のアイコン、文字及び数字のフォントのサイズ、及び画面内のレイアウトを調整して、第１のカメラ情報を示す第１の表示用データ及び第２のカメラ情報を示す第２の表示用データを生成する。尚、第１の表示用データ及び第２の表示用データは、それぞれモノクロの２値画像を示すデータである。
【００８８】
また、カメラ情報生成部５５は、第１のカメラ情報を示す第１の表示用データ（静止画データ）に代えて、第１の表示部２２から第１のカメラ情報を消去するためのアニメーション表示用データ（動画データ）を画像合成部５２に出力する部分であるが、アニメーション表示用データの詳細については後述する。
【００８９】
カメラ情報生成部５５により生成された第１のカメラ情報を示す第１の表示用データは、画像合成部５２に出力され、第２のカメラ情報を示す第２の表示用データは、第２の表示部３２に出力される。
【００９０】
図５は、カメラ情報生成部５５により生成された第１のカメラ情報を示す第１の表示用データに基づいて第１の表示部２２に表示される表示画面の一例を示す図である。
【００９１】
図５に示すように第１のカメラ情報は、第１の表示部２２の表示画面の周辺部にレイアウトされる。これは、第１の表示部２２に表示されるライブビュー画像の視認性を極力阻害しないようにするためである。
【００９２】
図６は、カメラ情報生成部５５により生成された第２のカメラ情報を示す第２の表示用データに基づいて第２の表示部３２に表示される表示画面の一例を示す図である。
【００９３】
図５及び図６に示すように、第１のカメラ情報を示す第１の表示用データ及び第２のカメラ情報を示す第２の表示用データは、第１のカメラ情報及び第２のカメラ情報を示す各種のアイコン、文字及び数字のフォントのサイズ、及び画面内のレイアウトが異なっている。
【００９４】
図５に示す各種のカメラ情報を示すアイコン、文字及び数字の意味は、以下の通りである。
【００９５】
Ｉ１…露出補正バー／露出インジケータ
Ｉ２…測光モード（マルチ測光モード）を示すアイコン
Ｉ３…マナーモード（操作音及びフラッシュ発光ＯＦＦ）を示すアイコン
Ｉ４…メモリカードに記録可能な撮影可能枚数（３５２）
Ｉ５…記録する画像サイズ（Ｌ(Large))／記録する画像の圧縮率(Ｆ(FINE))
Ｉ６…ＲＡＷ画像及びＪＰＥＧ画像の記録
Ｉ７…撮影する画像のダイナミックレンジ（１００％）
Ｉ８…フィルムシミュレーション（Ｖ(Vivid)）を示すアイコン
Ｉ９…ホワイトバランスの設定（光源種：蛍光灯１）を示すアイコン
Ｉ１０…バッテリー残量を示すアイコン
Ｉ１１…ＩＳＯ感度（ＩＳＯ１６００）
Ｉ１２…絞り値（Ｆ５．６）
Ｉ１３…シャッタースピード（１／１２５）
Ｉ１４…撮影モード（Ｍ：Manual）
図６に示す各種の第２のカメラ情報の表示内容は、図５に示した各種のカメラ情報の表示内容と略同じであるが、画面内のレイアウトが異なり、また、高速連写（Ｈ(High))を示すカメラ情報（アイコンＩ１５）が追加されている。
【００９６】
図３において、画像合成部５２は、表示用データ生成部５１から入力するカラーのライブビュー画像を示す表示用データ（図４参照）と、カメラ情報生成部５５から入力する第２のカメラ情報を示すモノクロの第１の表示用データ（図５参照）とを合成する。これにより、カラーのライブビュー画像にモノクロの第１のカメラ情報を重畳した画像に対応する表示用データが生成される。
【００９７】
画像合成部５２により合成された表示用データは、第１の表示部２２に出力される。第１の表示部２２は、入力した表示用データに基づいて、図７に示すようにカラーのライブビュー画像（図４）にモノクロのカメラ情報（図５）が重畳されたカラーのライブビュー画像を表示する。
【００９８】
ユーザは、第１の表示部２２に表示されたカラーのライブビュー画像により撮影範囲を把握することができ、これにより撮影範囲を決定するフレーミングを行うことができる。また、第１の表示部２２には、モノクロの第１のカメラ情報も表示されているため、ユーザは、現在設定されている撮像条件等も確認することができる。
【００９９】
一方、第２の表示部３２は、カメラ情報生成部５５から入力する第２のカメラ情報を示す第２の表示用データに基づいて、図６に示すように各種のカメラ情報を示すアイコン、文字及び数字がレイアウトされたモノクロ画像を表示する。これにより、ユーザは、第２の表示部３２に表示されたモノクロ画像（第２のカメラ情報）により現在設定されている撮像条件等を確認することができる。
【０１００】
また、第２の表示部３２には、ユーザが操作部４６を操作することにより、第２の表示部３２に表示される第２のカメラ情報を適宜カスタマイズして必要なカメラ情報のみを表示させることができる。この場合の操作部４６は、第２の表示部３２に表示させる第２のカメラ情報を選択する第２のカメラ情報選択部として機能し、表示制御部５０（第２の表示制御部）は、第２のカメラ情報選択部により選択された第２のカメラ情報を第２の表示部３２に表示させる。
【０１０１】
［第１のカメラ情報の消去の実施形態］
次に、第１の表示部２２に表示された第１のカメラ情報を消去する実施形態について説明する。
【０１０２】
＜第１の実施形態＞
図８から図１０は、第１の表示部２２に表示された第１のカメラ情報を消去する第１の実施形態を示す図である。
【０１０３】
表示制御部５０は、デジタルカメラ１が撮影モードに設定されている場合において、判別部６４により第１の表示部２２の表示画面と第２の表示部３２の表示画面とが同時に視認可能な第２の姿勢関係にあると判別されると、第１の表示部２２に表示されている第１のカメラ情報のうちの第２の表示部３２に表示されている第２のカメラ情報と重複する重複情報を、アニメーションの表示を経由して消去する。
【０１０４】
即ち、図３に示すカメラ情報生成部５５は、図５に示す第１のカメラ情報を示す第１の表示用データ（静止画データ）に代えて、第１の表示部２２から第１のカメラ情報を消去するためのアニメーション表示用データ（動画データ）を画像合成部５２に出力する。
【０１０５】
この場合、カメラ情報生成部５５は、まず、図８に示すように第１の表示部２２の表示画面の特定領域（本例では、中央領域）に、第２の表示部３２の表示画面と同じサイズの表示枠Ｆが追加された表示用データを画像合成部５２に出力する。これにより、第１の表示部２２には、図８に示す第１のカメラ情報と表示枠Ｆとが表示される。
【０１０６】
続いて、カメラ情報生成部５５は、図９に示すように第１の表示部２２の表示画面の周辺部にレイアウトされた複数の重複情報（各種の第１のカメラ情報を示すアイコン、文字及び数字）を縮小し、それぞれ表示枠Ｆの所定の位置に移動させるアニメーション（第１のアニメーション）を示すアニメーション表示用データ（第１のアニメーション表示用データ）を画像合成部５２に出力する。このとき、第２の表示部３２のみに表示されるよう設定されているアイコンＩ１５については移動ではなく出現するアニメーションとなる。尚、このようなアイコンが無い場合は出現アニメーションは表示されないことは言うまでも無い。
【０１０７】
これにより、第１の表示部２２には、図９に示すように第１の表示部２２の表示画面の周辺部にレイアウトされた複数の重複情報を、第１の表示部２２の表示画面の中央領域に集合させるアニメーション（第１のアニメーション）が表示される。ここでは第１の表示部２２に表示されている全ての情報が集合するアニメーションとなっているが、第２の表示部３２に移動しない情報がある場合は、その情報表示については変化は無い。
【０１０８】
第１の実施形態によれば、第１の表示部２２の表示画面の中央領域に集合させた複数の重複情報のレイアウトと、図６に示した第２の表示部３２に表示されている第２のカメラ情報のレイアウトとが一致するように、第１の表示部２２の表示画面の周辺部に表示されている複数の重複情報は、それぞれ図９の矢印に示す方向に移動させられる。このとき、第１の表示部２２の表示画面の左端部に縦向きに表示されていた露出補正バー／露出インジケータは、時計回り方向に９０°回転して移動させられる。また、第１のアニメーションを表示させる場合、第１の表示部２２の表示画面の周辺部にレイアウトされた複数の重複情報は、移動が視認しやすいようにハーフトーンの表示に切り替えて残しておくことが好ましいが、消去してもよい。
【０１０９】
次に、カメラ情報生成部５５は、図１０に示すように第１の表示部２２の表示画面の中央領域に集合させた複数の重複情報を、第１の表示部２２の表示画面の外部に向かって移動させ、第１の表示部２２の表示画面から消去させるアニメーション表示用データ（第２のアニメーション表示用データ）を画像合成部５２に出力する。
【０１１０】
これにより、第１の表示部２２には、図１０に示すように第１の表示部２２の中央領域に集合させた複数の重複情報を、第１の表示部２２の表示画面の外部に向かって移動させ、第１の表示部２２の表示画面から消去させるアニメーション（第２のアニメーション）が表示される。
【０１１１】
尚、第２のアニメーションを表示させる場合、第１の表示部２２の表示画面の中央領域に集合させた複数の重複情報は、移動が視認しやすいようにハーフトーンの表示に切り替えて残しておくことが好ましいが、消去してもよい。また、第１の表示部２２の表示画面の中央領域に集合させた複数の重複情報を、第１の表示部２２の表示画面の外部に向かって移動させる方向は、第１の表示部２２の表示画面から第２の表示部３２の表示画面の方向（本例の場合、右上方向）が好ましい。ユーザの視線方向を第２の表示部３２の表示画面の方向に誘導し、第１の表示部２２から消去される重複情報が、第２の表示部３２に表示されていることをユーザに認識させるためである。
【０１１２】
このように、第１の表示部２２に表示されている複数の重複情報を自動的に第１の表示部２２から消去することにより、第１の表示部２２に表示されているライブビュー画像を見やすくすることができる。
【０１１３】
一方、第１の表示部２２から重複情報を消去しても、第１の表示部２２の表示画面と同時に視認可能な第２の表示部３２の表示画面に重複情報が表示され、視線方向を移動させるだけで第２の表示部３２の表示画面に表示されている重複情報を視認することができるため、ユーザにとって支障がない。また、アニメーションの表示を経由して重複情報を消去するようにしたため、第１の表示部２２に表示されていた重複情報が突然消去されることによるユーザの混乱を防止することができる。
【０１１４】
尚、第２の表示部３２に表示される第２のカメラ情報を適宜カスタマイズして必要なカメラ情報のみを表示させることができるが、この場合、第２の表示部３２の表示画面に表示される第２のカメラ情報の表示形態が変化する。
【０１１５】
この場合、表示制御部５０（第１の表示制御部）は、第１の表示部２２の表示画面の中央領域に集合した重複情報のレイアウトを、第２の表示部３２にカスタマイズされて表示されている第２のカメラ情報のレイアウトに合わせて変更させることが好ましい。
【０１１６】
また、第１の表示部２２から重複情報が消去され、重複情報が第２の表示部３２に表示されていることを報知する報知部を設けることが好ましい。
【０１１７】
報知部は、第１の表示部２２から重複情報が消去されたこと「表示」により報知する場合、「音声」により報知する場合、及び両者により報知する場合が考えられる。
【０１１８】
「表示」により報知する報知部の第１の実施形態は、第１の表示部２２における第１のアニメーション及び第２のアニメーションの表示中、又は第２のアニメーションの表示終了後の一定期間、第２の表示部３２に表示された第２のカメラ情報を点滅表示させ、又は第２の表示部３２の表示画面の明るさを変化させ、これにより第１の表示部２２から重複情報が消去されたことをユーザに報知する。この場合、第２の表示部３２及び表示制御部５０（第２の表示制御部）は、重複情報が消去されたことをユーザに報知する報知部として機能する。
【０１１９】
「表示」により報知する報知部の第２の実施形態は、第２の表示部３２の近傍に配設されたランプ（本例では、図１に示したインジケーターランプ２８）を含み、第１の表示部２２における第１のアニメーション及び第２のアニメーションの表示中、又は第２のアニメーションの表示終了後の一定期間、インジケーターランプ２８を点灯又は点滅させることで、第１の表示部２２から重複情報が消去されたことをユーザに報知する。
【０１２０】
＜第２の実施形態＞
図１１及び図１２は、第１の表示部２２に表示された第１のカメラ情報を消去する第２の実施形態を示す図である。
【０１２１】
図１１及び図１２に示す第２の実施形態は、主として第１の表示部２２の表示画面の中央領域に集合させる複数の重複情報のレイアウトが、第１の実施形態と相違する。
【０１２２】
即ち、第２の実施形態では、カメラ情報生成部５５は、図１１に示すように第１の表示部２２の表示画面の周辺部にレイアウトされた複数の重複情報を縮小し、それぞれ矢印で示すように表示画面の中央領域に移動させる第１のアニメーションを示す第１のアニメーション表示用データを画像合成部５２に出力する。
【０１２３】
これにより、第１の表示部２２には、図１１に示すように第１の表示部２２の表示画面の周辺部にレイアウトされた複数の重複情報を、第１の表示部２２の表示画面の中央領域に集合させる第１のアニメーションが表示される。
【０１２４】
第２の実施形態によれば、第１の表示部２２の表示画面の中央領域に集合させた複数の重複情報のレイアウトは、第１の表示部２２の表示画面の周辺部に表示された複数の重複情報のレイアウトと一致し、また、第２の実施形態の第１のアニメーションは、複数の重複情報が複雑な動きをする第１の実施形態の第１のアニメーションよりも単純な動きであるため、見やすい。尚、第１のアニメーションにより移動する複数の重複情報の移動前後のレイアウトが一致するとは、互いに隣り合うアイコン等の順序が変わらない場合を含むものとする。
【０１２５】
次に、カメラ情報生成部５５は、図１２に示すように第１の表示部２２の表示画面の中央領域に集合させた複数の重複情報を、第１の表示部２２の表示画面の外部に向かって移動させ、第１の表示部２２の表示画面から消去する第２のアニメーション表示用データを画像合成部５２に出力する。
【０１２６】
これにより、第１の表示部２２には、図１２に示すように第１の表示部２２の中央領域に集合させた複数の重複情報を、第１の表示部２２の表示画面の外部に向かって移動させ、第１の表示部２２の表示画面から消去させる第２のアニメーションが表示される。
【０１２７】
＜第３の実施形態＞
図１３及び図１４は、第１の表示部２２に表示された第１のカメラ情報を消去する第３の実施形態を示す図である。
【０１２８】
図１３及び図１４に示す第３の実施形態は、第１の表示部２２の表示画面の中央領域に集合させる複数の重複情報を縮小させない点で、第２の実施形態と相違する。
【０１２９】
即ち、第３の実施形態では、カメラ情報生成部５５は、図１３に示すように第１の表示部２２の表示画面の周辺部にレイアウトされた複数の重複情報を縮小させずに、そのまま矢印で示すように表示画面の中央領域に移動させる第１のアニメーションを示す第１のアニメーション表示用データを画像合成部５２に出力する。
【０１３０】
これにより、第１の表示部２２には、図１３に示すように第１の表示部２２の表示画面の周辺部にレイアウトされた複数の重複情報を、第１の表示部２２の表示画面の中央領域に集合させる第１のアニメーションが表示される。
【０１３１】
第３の実施形態では、第１の表示部２２の表示画面の周辺部にレイアウトされた複数の重複情報を縮小せずに、第１の表示部２２の表示画面の中央領域に集合させるため、複数の重複情報が重なって表示される。
【０１３２】
次に、カメラ情報生成部５５は、図１４に示すように第１の表示部２２の表示画面の中央領域に集合させた複数の重複情報を、第１の表示部２２の表示画面の外部に向かって移動させ、第１の表示部２２の表示画面から消去させる第２のアニメーション表示用データを画像合成部５２に出力する。
【０１３３】
これにより、第１の表示部２２には、図１４に示すように第１の表示部２２の表示画面の中央領域に集合させた複数の重複情報を、第１の表示部２２の表示画面の外部に向かって移動させ、第１の表示部２２の表示画面から消去させる第２のアニメーションが表示される。
【０１３４】
第３の実施形態によれば、複数の重複情報（アイコン等）を縮小する必要が無くなり、第２に実施形態に比べてカメラシステムの負荷を軽減することができる。尚、第１の表示部２２の表示画面の周辺部にレイアウトされた複数の重複情報を縮小せずに、第１の表示部２２の表示画面の中央領域に集合させるため、複数の重複情報が重なって表示されるが、複数の重複情報を表示画面の中央領域に集合させた後に個別に視認する必要がないため、複数の重複情報が重なって表示されても支障がない。
【０１３５】
＜第４の実施形態＞
図１５及び図１６は、第１の表示部２２に表示された第１のカメラ情報を消去する第４の実施形態を示す図である。
【０１３６】
図１５及び図１６に示す第４の実施形態は、第１の表示部２２の表示画面の中央領域に集合させる複数の重複情報を縮小させない点で、第３の実施形態と共通するが、第１の表示部２２の表示画面の周辺部にレイアウトされた複数の重複情報を集合させる第１の表示部２２の表示画面の特定領域が異なる。
【０１３７】
即ち、第４の実施形態では、カメラ情報生成部５５は、図１５に示すように第１の表示部２２の表示画面の周辺部にレイアウトされた複数の重複情報を縮小させずに、そのまま矢印で示すように表示画面の中央領域に移動させる第１のアニメーションを示す第１のアニメーション表示用データを画像合成部５２に出力する。このとき、図１３に示した第３の実施形態に比べて、より狭い中央領域に移動させる第１のアニメーションを示す第１のアニメーション表示用データを画像合成部５２に出力する。
【０１３８】
これにより、第１の表示部２２には、図１５に示すように第１の表示部２２の表示画面の周辺部にレイアウトされた複数の重複情報を、第１の表示部２２の表示画面の、より狭い中央領域に集合させる第１のアニメーションが表示される。
【０１３９】
第４の実施形態では、第１の表示部２２の表示画面の周辺部にレイアウトされた複数の重複情報を縮小せずに第１の表示部２２の表示画面の、より狭い中央領域に集合させるため、重複情報を示すアイコン情報等が第３の実施形態に比べて高密度で重なって表示される。
【０１４０】
次に、カメラ情報生成部５５は、図１６に示すように第１の表示部２２の表示画面の中央領域に集合させた複数の重複情報を、第１の表示部２２の表示画面の外部に向かって移動させ、第１の表示部２２の表示画面から消去させる第２のアニメーション表示用データを画像合成部５２に出力する。
【０１４１】
これにより、第１の表示部２２には、図１６に示すように第１の表示部２２の中央領域に集合させた複数の重複情報を、第１の表示部２２の表示画面の外部に向かって移動させ、第１の表示部２２の表示画面から消去させる第２のアニメーションが表示される。
【０１４２】
第４の実施形態によれば、第１の表示部２２の表示画面の中央領域に集合して重なる重複情報のコントラストが高くなるため、ユーザの視認性が上がり、移動が視認しやすくなる。
【０１４３】
＜第５の実施形態＞
図１７は、第１の表示部２２に表示された第１のカメラ情報を消去する第５の実施形態を示す図であり、特に第２のアニメーションの表示に関して示している。
【０１４４】
図１７に示す第５の実施形態は、図１５に示した第４の実施形態と同様に、第１の表示部２２の表示画面の周辺部にレイアウトされた複数の重複情報を、表示画面の中央領域に集合させる第１のアニメーションを第１の表示部２２に表示させる点で、第４の実施形態と共通するが、集合させた重複情報を第１の表示部２２の表示画面の外部に向かって移動させ、第１の表示部２２の表示画面から消去させる第２のアニメーションが、第４の実施形態と相違する。
【０１４５】
即ち、第５の実施形態では、カメラ情報生成部５５は、図１５に示すように第１の表示部２２の表示画面の中央領域に集合させた複数の重複情報を、図１７に示すように長方形のアイコンＩ１６に置き換え、アイコンＩ１６を第１の表示部２２の表示画面の外部に向かって移動させ、第１の表示部２２の表示画面から消去させる第２のアニメーション表示用データを画像合成部５２に出力する。
【０１４６】
これにより、第１の表示部２２には、図１７に示すように第１の表示部２２の中央領域に表示されたアイコンＩ１６を、第１の表示部２２の表示画面の外部に向かって移動させ、第１の表示部２２の表示画面から消去させる第２のアニメーションが表示される。
【０１４７】
第１の表示部２２の表示画面の中央領域に集合して重なった複数の重複情報には、カメラ情報としての意味がないため、第５の実施形態では、重なった複数の重複情報をアイコンＩ１６に置き換え、アイコンＩ１６を表示画面の外部に向かって移動させ、消去するようにしている。尚、第２のアニメーションを表示させる場合、第１の表示部２２の表示画面の中央領域の長方形のアイコンＩ１６は、アイコンＩ１６の移動が視認しやすいようにハーフトーンの表示に切り替えて残しておくことが好ましいが、消去してもよい。
【０１４８】
第５の実施形態によれば、重なった複数の重複情報を長方形のアイコンＩ１６に置き換え、アイコンＩ１６を移動させるようにしたため、アイコンＩ１６の移動が視認しやすくなる。
【０１４９】
＜第６の実施形態＞
図１８は、第１の表示部２２に表示された第１のカメラ情報を消去する第６の実施形態を示す図であり、特に第２のアニメーションの表示に関して示している。
【０１５０】
図１８に示す第６の実施形態は、図１７に示した第５の実施形態と同様に、第１の表示部２２の表示画面の中央領域に集合して重なった複数の重複情報を、長方形のアイコンに置き換える点で共通するが、長方形のアイコンを第１の表示部２２の表示画面の外部に向かって移動させ、第１の表示部２２の表示画面から消去させる第２のアニメーションが、第５の実施形態と相違する。
【０１５１】
即ち、第６の実施形態では、カメラ情報生成部５５は、図１５に示すように第１の表示部２２の表示画面の中央領域に集合させた複数の重複情報を、図１８に示すように長方形のアイコンＩ１６に置き換え、アイコンＩ１６を第１の表示部２２の表示画面の外部に向かって移動させ、移動させながらアイコンＩ１６を徐々に拡大し、第２の表示部３２の表示画面と同じ表示形態に変化させ、その後、第１の表示部２２の表示画面から消去させる第２のアニメーション表示用データを画像合成部５２に出力する。
【０１５２】
これにより、第１の表示部２２には、図１８に示すように第１の表示部２２の中央領域に表示された長方形のアイコンＩ１６を、第１の表示部２２の表示画面の外部に向かって移動させながらアイコンＩ１６を徐々に拡大し、第２の表示部３２の表示画面と同じ表示形態に変化させた後、第１の表示部２２の表示画面から消去させる第２のアニメーションが表示される。
【０１５３】
第６の実施形態によれば、重なった複数の重複情報を長方形のアイコンＩ１６に置き換え、アイコンＩ１６を移動させながら、第２の表示部３２の表示画面と同じ表示形態に変化させるようにしたため、移動先の表示をユーザに認識させやすくすることができる。
【０１５４】
一方、第１の表示部２２から重複情報が消去され、図４に示すように第１の表示部２２の表示画面にライブビュー画像のみが表示されている状態において、第１の表示部２２の回動に伴って第１の表示部２２の表示画面と第２の表示部３２の表示画面とが同時に視認不能な第１の姿勢関係になったことが判別部６４により判別されると、表示制御部５０は、消去した重複情報を、第１の表示部２２の表示画面の周辺部に直ちに表示させることが望ましい。消去した重複情報を直ちに戻しても、普段見慣れた表示であるため、ユーザに違和感が与えることがないからである。
【０１５５】
尚、表示制御部５０は、第１のアニメーション及び第２のアニメーションを逆送り再生したアニメーションを第１の表示部２２に表示させ、消去した重複情報を戻すようにしてもよい。
【０１５６】
また、図８乃至図１８では、説明の簡単のためにライブビュー画像の表示が省略されているが、第１のアニメーション及び第２のアニメーションの表示中にライブビュー画像を表示させることが好ましい。これによれば、ライブビュー画像が中断されることなく、継続して表示することができる。
【０１５７】
更に、第１のアニメーション及び第２のアニメーションの表示中にライブビュー画像の表示を一時中断してもよい。この場合、第１のアニメーション及び第２のアニメーションが見やすくなり、かつユーザに重複情報が消去されたことを認識させることができ、特に第１のアニメーション及び第２のアニメーションが短時間の場合に効果がある。
【０１５８】
［デジタルカメラの第２の実施形態］
図１９及び図２０は、それぞれ本発明に係るデジタルカメラの第２の実施形態を示す外観図であり、デジタルカメラを斜め後方から見た斜視図である。尚、図１９及び図２０において、図１に示した第１の実施形態のデジタルカメラ１と共通する部分には同一の符号を付し、その詳細な説明は省略する。
【０１５９】
図１９及び図２０に示す第２の実施形態のデジタルカメラ１−２は、図１に示した第１の実施形態のデジタルカメラ１と比較して、主として第１の表示部２２−２の回動機構が異なる。
【０１６０】
図１９に示すようにカメラ本体２０の背面には、透過型のカラー液晶表示器である板状の第１の表示部２２−２が設けられている。
【０１６１】
第１の表示部２２−２は、カメラ本体２０に対して直交２軸のヒンジ２２−２Ａにより、カメラ本体２０の縦方向の軸（縦軸）の軸回り方向、及び横方向の軸（横軸）の軸回り方向に回動可能なバリアングル液晶表示器であり、図１９に示すように矢印の方向（カメラ本体２０の縦軸の軸回り方向）に１８０°回動すると、第１の表示部２２−２の表示画面をカメラ本体２０の背面と平行にすることができる。
【０１６２】
また、第１の表示部２２−２は、図２０に示すように第１の表示部２２−２が開いた状態で、ヒンジ２２−２Ａの横軸の軸回り方向に３６０°回転することができ、これによりローアングル又はハイアングルでのフレーミング時に表示画面を見やすくできる。
【０１６３】
第２の実施形態のデジタルカメラ１−２の場合、第１の表示部２２−２の表示画面と第２の表示部３２の表示画面との相対的な姿勢関係は、ヒンジ２２−２Ａの直交２軸の各軸回り方向の回転角度により検出することできる。例えば、第１の表示部２２−２が閉じている状態からヒンジ２２−２Ａの縦軸の軸回り方向に第１の表示部２２−２を１８０°回動させ、かつヒンジ２２−２Ａの横軸の軸回り方向（表示画面が上を向く方向）に第１の表示部２２−２を９０°回動させると、第１の表示部２２−２の表示画面と第２の表示部３２の表示画面とは平行になり、かつ両表示画面の向き（表示画面の短辺の方向）も同一方向になる。この場合、第１の表示部２２−２の表示画面を見ている状態から視線方向を移動させるだけで第２の表示部３２の表示画面を視認することができる。
【０１６４】
第２の実施形態のデジタルカメラ１−２の場合、図２に示した判別部６４は、第１の角度検出部６０の代わりに、第１の表示部２２−２の角度を検出する角度検出部（図示せず）であって、ヒンジ２２−２Ａの縦軸の軸回り方向の角度、及び横軸の軸回り方向の角度をそれぞれ検出する角度検出部の各検出出力（即ち、第１の表示部２２−２と第２の表示部３２との相対的な姿勢関係）に基づいて第１の表示部２２−２の表示画面と第２の表示部３２の表示画面とが同時に視認不能な第１の姿勢関係にあるか、又は同時に視認可能な第２の姿勢関係にあるかを判別することが好ましい。
【０１６５】
［デジタルカメラの第３の実施形態］
図２１及び図２２は、それぞれ本発明に係るデジタルカメラの第３の実施形態を示す外観図であり、デジタルカメラを斜め後方から見た斜視図である。尚、図２１及び図２２において、図１に示した第１の実施形態のデジタルカメラ１と共通する部分には同一の符号を付し、その詳細な説明は省略する。
【０１６６】
図２１及び図２２に示す第３の実施形態のデジタルカメラ１−３は、図１に示した第１の実施形態のデジタルカメラ１と比較して、主として第２の表示部３２−２もカメラ本体２０に対して回動可能に設けられている点で相違する。
【０１６７】
図２１及び図２２に示すように、カメラ本体２０の上面には、反射型のモノクロ液晶表示器である板状の第２の表示部３２−２が設けられている。
【０１６８】
第２の表示部３２−２は、カメラ本体２０に対してヒンジ３２−２Ａにより回動可能に配設されたバリアングル液晶表示器である。
【０１６９】
図２１は、第１の表示部２２の表示画面が上方向（カメラ本体２０の上面の方向）に向くように回動させられ、カメラ本体２０の上面に対する第２の表示部３２−２の表示画面の角度が０°（カメラ本体２０の上面と第２の表示部３２−２の表示画面とが面一）になっている状態に関して示している。
【０１７０】
一方、図２２は、カメラ本体２０の背面に対する第１の表示部２２の表示画面の角度が０°（カメラ本体２０の背面と第１の表示部２２の表示画面とが面一）になっており、カメラ本体２０の上面に対する第２の表示部３２−２の角度が約９０°（カメラ本体２０の背面と第２の表示部３２−２の表示画面とが略平行）になっている状態に関して示している。
【０１７１】
第１の表示部２２の表示画面と第２の表示部３２の表示画面との相対的な姿勢関係が、図２１又は図２２に示す姿勢関係にある場合、第１の表示部２２の表示画面を見ている状態から視線方向を移動させるだけで第２の表示部３２−２の表示画面を視認することができる。
【０１７２】
このように第１の表示部２２に加えて第２の表示部３２−２も回動する第３の実施形態のデジタルカメラ１−３の場合、図２に示すように第２の表示部３２−２の角度を検出する第２の角度検出部６２（図２の点線で示した第２の角度検出部６２）を設ける必要があり、図２に示した判別部６４は、第１の表示部２２の表示画面の角度を検出する第１の角度検出部６０と第２の表示部３２−２の表示画面の角度を検出する第２の角度検出部６２との各検出出力（即ち、第１の表示部２２と第２の表示部３２−２との相対的な姿勢関係）に基づいて第１の表示部２２の表示画面と第２の表示部３２−２の表示画面とが同時に視認不能な第１の姿勢関係にあるか、又は同時に視認可能な第２の姿勢関係にあるかを判別することが好ましい。
【０１７３】
［デジタルカメラの表示方法］
次に本発明に係るデジタルカメラの表示方法について説明する。
【０１７４】
図２３は本発明に係るデジタルカメラの表示方法の実施形態を示すフローチャートであり、図１に示した第１の実施形態のデジタルカメラ１の表示方法に関して示している。
【０１７５】
図２３に示すように、まず、撮影モードに設定されている場合における第１の表示部２２の表示形態を示すフラグＦとして、第１の表示形態であることを示すフラグＦ（Ｆ＝０）をセットする（ステップＳ１０）。ここで、第１の表示形態とは、第１の表示部２２の表示画面に表示されるライブビュー画像に第１のカメラ情報を重畳して表示させる通常の表示形態をいう。
【０１７６】
続いて、表示制御部５０は、第１の表示部２２にライブビュー画像と第１のカメラ情報とを表示させ（通常の表示形態の表示を行わせ）、第２の表示部３２に第２のカメラ情報を表示させる（ステップＳ１２、図６、図７）。
【０１７７】
次に、第１の角度検出部６０は、カメラ背面に対する第１の表示部２２の表示画面の角度を検出する（ステップＳ１４）。
【０１７８】
判別部６４は、第１の角度検出部６０により検出される角度に基づいて、第１の表示部２２の表示画面と第２の表示部３２の表示画面とが同時に視認可能な第２の姿勢関係にあるか否かを判別する（ステップＳ１６）。判別部６４により、第１の表示部２２の表示画面と第２の表示部３２の表示画面とが同時に視認不能な第１の姿勢関係にあると判別されると（「No」の場合）、ステップＳ１０に戻り、通常の表示形態の表示が継続して行われる。
【０１７９】
一方、第１の表示部２２を回動させた結果、ステップＳ１６において、判別部６４により、第１の表示部２２の表示画面と第２の表示部３２の表示画面とが同時に視認可能な第２の姿勢関係にあると判別されると（「Yes」の場合）、ステップＳ１８に遷移させる。
【０１８０】
ステップＳ１８において、現在、第１の表示部２２の表示形態が通常の表示形態であるか否か（即ち、Ｆ＝０か否か）が判別され、通常の表示形態である第１の表示形態の場合（「Yes」の場合）、ステップＳ２０に遷移させる。
【０１８１】
ステップＳ２０において、表示制御部５０は、第１の表示部２２の表示画面の周辺部に表示されている第１のカメラ情報のうちの第２の表示部３２の表示されている第２のカメラ情報と重複する複数のカメラ情報（重複情報）を縮小し、第１の表示部２２の表示画面の中央領域に集合させる第１のアニメーションを第１の表示部２２に表示させる（図９）。このとき、第２の表示部３２のみに表示されるよう設定されているアイコンＩ１５については移動ではなく出現するアニメーションを第１の表示部２２に表示させる。
【０１８２】
続いて、表示制御部５０は、第１のアニメーションを第１の表示部２２に表示させた後に、第１の表示部２２の表示画面の中央領域に集合させた複数の重複情報を、第１の表示部２２の表示画面の外部に向かって移動させ、第１の表示部２２の表示画面から消去させる第２のアニメーションを第１の表示部２２に表示させる（ステップＳ２２、図１０）。
【０１８３】
第２のアニメーションの表示が終了すると、第１の表示部２２の表示形態は、表示画面から重複情報が消去された、ライブビュー画像のみを表示する第２の表示形態となり、フラグＦには、第２の表示形態を示すフラグＦ（Ｆ＝１）がセットされる（ステップＳ２４）。
【０１８４】
第１の表示部２２の表示形態が第２の表示形態に遷移している場合（Ｆ＝１の場合）、表示制御部５０は、ライブビュー画像のみを第１の表示部２２に表示させ（ステップＳ２６、図４）、ステップＳ１４に遷移させる。
【０１８５】
第１の表示部２２の表示形態が第２の表示形態に遷移している状態（Ｆ＝１）において、ステップＳ１６により第１の表示部２２の表示画面と第２の表示部３２の表示画面とが同時に視認不能な第１の姿勢関係にあると判別されると（「No」の場合）、ステップＳ１０に戻る。これにより、第１の表示部２２の表示形態は、第２の表示形態から通常の表示形態である第１の表示形態に遷移させられる。
【０１８６】
また、第１の表示部２２の表示形態が第２の表示形態に遷移している状態（Ｆ＝１）において、ステップＳ１６により第１の表示部２２の表示画面と第２の表示部３２の表示画面とが同時に視認可能な第２の姿勢関係にあると判別されると（「Yes」の場合）、ステップＳ１８に遷移する。この場合、ステップＳ１８では、現在、第１の表示部２２の表示形態が第２表示形態であると判別され（Ｆ＝１）、ステップＳ１８からステップＳ２６にジャンプする。これにより、第１の表示部２２の表示画面には、ライブビュー画像のみが引き続き表示されることになる。
【０１８７】
［その他］
本実施形態では、第１の表示部２２の表示画面に表示される第１のカメラ情報と、第２の表示部３２に表示される第２のカメラ情報とが重複する重複情報を消去するようにしたが、これに限らず、第１の表示部２２の表示画面に表示される第１のカメラ情報を消去するようにしてもよい。この場合、第１の表示部２２の表示画面に表示される第１のカメラ情報に、第２の表示部３２の表示画面に表示される第２のカメラ情報とは異なるカメラ情報（差分情報）が含まれていても、第１の表示部２２に表示されている全ての第１のカメラ情報を消去することができる。
【０１８８】
また、この場合、第２の表示部３２において、差分情報を確認することができなくなる不具合を解消するために、第１のカメラ情報と第２のカメラ情報との差分情報を第２の表示部３２に表示させることが好ましい。これによれば、第１の表示部２２から全ての第１のカメラ情報を消去しても、消去した第１のカメラ情報を、第２の表示部３２に表示される第２のカメラ情報及び差分情報により視認することができる。
【０１８９】
本実施形態では、第１の表示部２２、２２−２として、透過型のカラー液晶表示器を使用しているが、これに限らず、有機エレクトロルミネッセンス、半透過型の液晶表示器等の他の表示器を使用してもよい。また、第２の表示部３２、３２−２として、反射型のモノクロ液晶表示器を使用しているが、これに限らず、反射型のカラー液晶表示器、電子ペーパ、メモリ液晶表示器、半透過型の液晶表示器等の他の表示器を使用してもよい。
【０１９０】
また、デジタルカメラは、主として動画を撮影するデジタルビデオカメラを含み、ライブビュー画像は、動画を本撮影しているときの画像を含む。
【０１９１】
本発明は上述した実施形態に限定されず、本発明の精神を逸脱しない範囲で種々の変形が可能であることは言うまでもない。
【符号の説明】
【０１９２】
１、１−２、１−３  デジタルカメラ
１０  交換レンズ
２０  カメラ本体
２２  第１の表示部
２２−２  第１の表示部
２２Ａ、２２−２Ａ、３２−２Ａ  ヒンジ
２４  露出補正ダイヤル
２６  シャッタースピードダイヤル
２８  インジケーターランプ
３０  シャッターボタン
３２、３２−２  第２の表示部
３４  フラッシュ
４０  撮像部
４２  信号処理部
４４  画像記録再生部
４６  操作部
４８  通信部
５０  表示制御部
５１  表示用データ生成部
５２  画像合成部
５４  キャラクタジェネレータ
５５  カメラ情報生成部
６０  第１の角度検出部
６２  第２の角度検出部
６４  判別部
６６  アニメーション表示選択部
７０  ＣＰＵ
Ｓ１０〜Ｓ２６  ステップ
【図１】
2017164011.tif 000003
【図２】
2017164011.tif 000004
【図３】
2017164011.tif 000005
【図４】
2017164011.tif 000006
【図５】
2017164011.tif 000007
【図６】
2017164011.tif 000008
【図７】
2017164011.tif 000009
【図８】
2017164011.tif 000010
【図９】
2017164011.tif 000011
【図１０】
2017164011.tif 000012
【図１１】
2017164011.tif 000013
【図１２】
2017164011.tif 000014
【図１３】
2017164011.tif 000015
【図１４】
2017164011.tif 000016
【図１５】
2017164011.tif 000017
【図１６】
2017164011.tif 000018
【図１７】
2017164011.tif 000019
【図１８】
2017164011.tif 000020
【図１９】
2017164011.tif 000021
【図２０】
2017164011.tif 000022
【図２１】
2017164011.tif 000023
【図２２】
2017164011.tif 000024
【図２３】
2017164011.tif 000025
【国際調査報告】
2017164011.tif 000026
2017164011.tif 000027
2017164011.tif 000028
2017164011.tif 000029